(57)【要約】  本発明に係る液晶表示装置（１００）は、液晶表示部（１７０）を複数の領域に分割する領域分割部（１５１）と、各領域が、自然画像を表示する第１の領域であるか、人工画像を表示する第２の領域であるかを判別する領域判別部（１５２）と、自然画像を表示する第１の領域と判別された領域に対しては視野角を広くするように設定し、人工画像を表示する第２の領域と判定された領域に対しては視野角を広くするように設定しない視野角設定部（１５３）とを備えている。これにより、自然画像および人工画像を同時表示する場合であっても、人工画像の表示品質を劣化させることなく表示する。
2011043104.tif 000002
【特許請求の範囲】
【請求項１】
隣接する画素の一方のガンマ値を予め定められた基準値よりも高い値に設定し、他方のガンマ値を当該基準値よりも低い値に設定することにより液晶パネルの視野角を広げることが可能な液晶表示装置であって、
上記液晶パネルにおける表示領域を、自然画像を表示する第１の領域および人工画像を表示する第２の領域に分割する領域分割手段と、
上記第１の領域に含まれる画素に対しては視野角を広げるように駆動させて上記自然画像を表示させると共に、上記第２の領域に含まれる画素に対しては視野角を広げないように駆動させて上記人工画像を表示させる表示手段と、
を備えていることを特徴とする液晶表示装置。
【請求項２】
被写体を撮像する撮像手段と、当該撮像手段において撮像した被写体を表す撮像画像を格納する記録部と、をさらに備えており、
上記表示手段は、上記記録部から読み出される撮像画像を上記第１の領域に表示することを特徴とする請求項１に記載の液晶表示装置。
【請求項３】
外部から動画コンテンツを取得するコンテンツ取得手段をさらに備えており、
上記表示手段は、上記コンテンツ取得手段において取得した動画コンテンツを構成する画像を所定の順序で上記第１の領域に表示することを特徴とする請求項１に記載の液晶表示装置。
【請求項４】
被写体を撮像する撮像手段と、当該撮像手段において撮像した被写体を表す撮像画像を格納する記録部と、外部から動画コンテンツを取得するコンテンツ取得手段と、をさらに備えており、
上記表示手段は、上記記録部から読み出される撮像画像、および、上記コンテンツ取得手段において取得した動画コンテンツを構成する画像の何れかを上記第１の領域に表示することを特徴とする請求項１に記載の液晶表示装置。
【請求項５】
上記第１の領域は、主となる画像を表示する主画像表示領域および副次的な画像を表示する副画像表示領域を含み、
上記表示手段は、上記第１の領域のうち、主画像表示領域に含まれる画素に対しては視野角を広げるように駆動させて上記主となる画像を表示させると共に、上記副画像表示領域に含まれる画素に対しては視野角を広げないように駆動させて上記副次的な画像を表示させることを特徴とする請求項１から４のいずれか１項に記載の液晶表示装置。
【請求項６】
隣接する画素の一方のガンマ値を予め定められた基準値よりも高い値に設定し、他方のガンマ値を当該基準値よりも低い値に設定することにより液晶パネルの視野角を広げることが可能な液晶表示装置における画像表示方法であって、
上記液晶パネルにおける表示領域を、自然画像を表示する第１の領域および人工画像を表示する第２の領域に分割する領域分割ステップと、
上記第１の領域に含まれる画素に対しては視野角を広げるように駆動させて上記自然画像を表示させると共に、上記第２の領域に含まれる画素に対しては視野角を広げないように駆動させて上記人工画像を表示させる表示ステップと、
を含むことを特徴とする画像表示方法。
【請求項７】
請求項１から５のいずれか１項に記載の液晶表示装置が備えているコンピュータを動作させるプログラムであって、上記コンピュータを上記の各手段として機能させるためのプログラム。
【請求項８】
請求項７に記載のプログラムを記録しているコンピュータ読み取り可能な記録媒体。
【発明の詳細な説明】
【技術分野】
【０００１】
本発明は、ハーフトーングレースケール法を用いて視野角を広げることが可能な液晶パネルを備えた液晶表示装置および当該液晶表示装置における画像表示方法に関する。
【背景技術】
【０００２】
近年、液晶パネルを備えた液晶表示装置は、テレビジョン受像機をはじめとして、携帯電話、デジタルカメラなどに幅広く用いられている。液晶表示装置では、用途によっては、複数人が同時に液晶パネルに表示されている情報を見るケースも多く想定される。そのため、複数人が同時に液晶パネルを見るような場合には、液晶パネルの視野角を広くするように視野角を制御することができる液晶表示装置も多く開発されている。【０００３】
例えば、特許文献１には、複数人が表示手段に表示されている情報を見るであろうと想定される場合（撮像した画像または映像を表示するとき）には、使用者のみが表示手段に表示されている情報を見るであろうと想定される場合よりも視野角を広げるように表示手段を設定する技術が開示されている。
【先行技術文献】
【特許文献】
【０００４】
【特許文献１】日本国公開特許公報「特開２００４−２３３５２７号」（公開日：２００４年８月１９日）
【発明の概要】
【発明が解決しようとする課題】
【０００５】
液晶パネルの視野角を広げる技術の１つとして、ハーフトーングレースケール法を挙げることができる。しかし、ハーフトーングレースケール法を用いて視野角を向上させた場合、文字または図形などの幾何学模様を示す人工画像ではエッジ部分にガタツキが生じ（エッジ部分がギザギザとなり）、表示品質が劣化してしまう。【０００６】
特に、近年の液晶表示装置では、一画面内に表示する情報量も増加しており、文字情報と画像（映像）とを同時に表示することも多い。そのため、自然画像を表示するモードであっても、文字情報または図形などの幾何学模様を示す人工画像を自然画像と同時に表示するケースも多々ある。【０００７】
この場合、特許文献１に開示されている技術のように、モード毎に視野角を向上させるか否かを設定した場合、自然画像と同時に表示される人工画像の表示品質が劣化してしまうという問題が生じる。【０００８】
本発明は、上記の問題点に鑑みてなされたものであり、その主たる目的は、自然画像および人工画像を同時表示する場合であっても、人工画像の表示品質を劣化させることなく表示することができる液晶表示装置を提供することである。
【課題を解決するための手段】
【０００９】
本発明に係る液晶表示装置は、上記課題を解決するために、隣接する画素の一方のガンマ値を予め定められた基準値よりも高い値に設定し、他方のガンマ値を当該基準値よりも低い値に設定することにより液晶パネルの視野角を広げることが可能な液晶表示装置であって、上記液晶パネルにおける表示領域を、自然画像を表示する第１の領域および人工画像を表示する第２の領域に分割する領域分割手段と、上記第１の領域に含まれる画素に対しては視野角を広げるように駆動させて上記自然画像を表示させると共に、上記第２の領域に含まれる画素に対しては視野角を広げないように駆動させて上記人工画像を表示させる表示手段と、を備えていることを特徴としている。【００１０】
本発明に係る液晶表示装置では、液晶表示部を自然画像を表示する第１の領域および人工画像を表示する第２の領域に分割し、第１の領域に含まれる画素に対しては、視野角を広げるように駆動させることにより画像を表示し、第２の領域に含まれる画素に対しては、視野角を広げないように駆動させることにより画像を表示する。換言すれば、本発明に係る液晶表示装置では、自然画像を表示する第１の領域に対してのみ視野角を広げるように設定する。【００１１】
これによって、本発明に係る液晶表示装置では、自然画像を表示する領域に含まれる画素に対してのみ、視野角を広げるように駆動させるため、自然画像および人工画像を同時表示した際に、人工画像の表示品質が劣化することを防止することができる効果を奏する。
【発明の効果】
【００１２】
本発明に係る液晶表示装置では、液晶パネルの表示領域を自然画像を表示する第１の領域および人工画像を表示する第２の領域に分割し、第１の領域に表示される自然画像に対は、視野角を広げるように画素を駆動させて表示し、第２の領域に表示される人工画像には、視野角を広げないように画素を駆動させて表示する。【００１３】
このように、本発明に係る液晶表示装置では、自然画像を表示する領域に含まれる画素に対してのみ、視野角を広げるように駆動させる。これによって、自然画像および人工画像を同時表示した際に、人工画像の表示品質が劣化することを防止することができる。
【図面の簡単な説明】
【００１４】
【図１】本発明に係る液晶表示装置の要部構成を示すブロック図である。
【図２】本発明に係る液晶表示装置をデジタルスチルカメラとして適用した場合に自然画像および人工画像を同時表示する表示例を示す図である。
【図３】本発明に係る液晶表示装置を携帯電話として適用した場合に自然画像および人工画像を同時表示する表示例を示す図である。
【図４】本発明に係る液晶表示装置をテレビジョン受像機として適用した場合に自然画像および人工画像を同時表示する表示例を示す図である。
【図５】本発明に係る液晶表示装置をテレビジョン受像機として適用した場合に自然画像および人工画像を同時表示する表示例の変形例を示す図である。
【発明を実施するための形態】
【００１５】
本発明に係る液晶表示装置の一実施形態を、図１〜図５を参照しつつ以下に説明する。
【００１６】
（液晶表示装置１００の構成）
まず、本発明に係る液晶表示装置の構成について、図１を参照しつつ以下に説明する。図１は、液晶表示装置１００の要部構成を示すブロック図である。
【００１７】
図１に示すように、液晶表示装置１００は、コンテンツ取得部１１０、撮像部１２０、記録部１３０、表示制御部１４０、視野角制御部１５０、操作入力部１６０および液晶表示部１７０を備えている。
【００１８】
ここで、液晶表示装置１００は、ハーフトーングレースケール法を用いて液晶表示部１７０の視野角を広げることができる。ここで、「ハーフトーングレースケール法」について簡単に説明する。
【００１９】
ハーフトーングレースケール法では、隣接する画素のいずれか一方の画素に対するガンマ値を予め定められた基準値よりも高い値に設定し、他方の画素に対するガンマ値を基準値よりも低い値に設定する。すなわち、ガンマ値を高く設定した画素では、基準値である場合と比較して、階調に対して高い輝度値が出力され、ガンマ値を低く設定した画素では、基準値である場合と比較して、階調に対して低い輝度値が出力される。これにより、ハーフトーングレースケール法では、輝度が高い（明るい）画素と輝度が低い（暗い）画素とが交互に配列することになる。なお、隣接する画素は、１つの画素を分割した副画素であってもよい。
【００２０】
以下、液晶表示装置１００を構成する各部材について詳細に説明する。
【００２１】
（コンテンツ取得部１１０）
コンテンツ取得部１１０は、外部から動画コンテンツを取得する。コンテンツ取得部１１０は、例えば、放送局から送出される放送波を、変調される前の放送形式のデータに復調することにより動画コンテンツを取得する。
【００２２】
また、コンテンツ取得部１１０は、光ディスクまたはハードディスクなどのコンテンツ記録部（図示しない）からコンテンツを取得するようにしてもよい。このとき、コンテンツ取得部１１０は、自装置に直接接続されているコンテンツ記録部から動画コンテンツを取得するようにしてもよいし、ネットワークを介して接続されているコンテンツ記録部（例えば、コンテンツサーバ）から動画コンテンツを取得するようにしてもよい。
【００２３】
（撮像部１２０）
撮像部１２０は、被写体を撮像するカメラ部である。撮像部１２０は、撮像レンズを通過した光線を電気信号に変換するための電気変換部を備えた撮像素子を備えている。
【００２４】
なお、撮像素子は、その受光側の面の中央部に画素が配置された電気変換部が形成され、その周囲に信号処理回路が形成されている。信号処理回路は、各画素を順次駆動し信号電荷を得る駆動回路部、各信号電荷をデジタル信号に変換するＡ／Ｄ変換部、このデジタル信号を用いて画像信号出力を形成する信号処理部などから構成されている。
【００２５】
（記録部１３０）
記録部１３０は、撮像部１２０において撮像された画像を記録するメモリである。液晶表示部１７０に撮像画像を表示する場合には、記録部１３０から読み出して表示する。
【００２６】
記録部１３０はフラッシュメモリなどの不揮発性メモリであることが好ましい。
【００２７】
（表示制御部１４０）
表示制御部１４０は、コンテンツ取得部１１０において取得された動画コンテンツまたは記録部１３０に記録されている撮像画像の表示を制御する。また、表示制御部１４０は、予め記録されている情報を基にして、メニュー表示画面を作成し、液晶表示部１７０に表示する。このとき、表示制御部１４０は、視野角制御部１５０において定められた視野角の設定情報に基づいて画像を表示する。どのような場合に視野角を広げるように画像を表示し、どのような場合に視野角を広げないように画像を表示するのかについては、下記に詳述するため、ここではその説明を省略する。
【００２８】
さらに、表示制御部１４０は、操作入力部１６０を介したユーザー操作に応じて、液晶表示装置１００における表示モードを切り替える。なお、液晶表示部１７０にメニュー表示画面を表示しているときには、操作入力部１６０を介したユーザー操作に応じたカーソル位置の制御も行う。
【００２９】
（視野角制御部１５０）
視野角制御部１５０は、液晶表示部１７０における表示領域の視野角を広げるか否かを制御する。より具体的には、液晶表示部１７０において自然画像が表示されている表示領域は視野角が広くなるように制御し、文字および図形などの人工画像（幾何学模様）が表示されている表示領域は視野角が広くなるように制御しないようにする。
【００３０】
すなわち、視野角制御部１５０は、液晶表示部１７０において自然画像が表示されている表示領域は視野角が広くなるように制御し、文字および図形などの人工画像が表示されている表示領域については、視野角を広げないように制御する、と表現することもできる。
【００３１】
図１に示すように、視野角制御部１５０は、領域分割部１５１、領域判別部１５２および視野角設定部１５３を備えている。これらの各部材について以下に説明する。
【００３２】
（領域分割部１５１）
領域分割部１５１は、液晶表示部１７０における表示領域を表示モードに応じて、仮想的に分割する。領域分割部１５１は、操作入力部１６０を介したユーザー操作により設定された表示モードを表示制御部１４０に対して通知する。なお、領域分割部１５１における領域の分割は、表示モードに応じて予め定められている。
【００３３】
（領域判別部１５２）
領域判別部１５２は、領域分割部１５１において分割された各領域が自然画像を表示する領域であるのか、人工画像を表示する領域であるのかを判別する。領域判別部１５２は、判別した結果を視野角設定部１５３に通知する。
【００３４】
（視野角設定部１５３）
視野角設定部１５３は、領域判別部１５２における判別結果に基づいて、自然画像の表示される自然画像表示領域（第１の領域）に対しては、視野角を広げるように設定し、人工画像の表示される人工画像表示領域（第２の領域）に対しては、視野角を広げるように設定しない。
【００３５】
視野角を広げるように設定しないことは、視野角の向上制御を実行しないことと同義である。したがって、視野角設定部１５３は、自然画像表示領域に対してのみ、視野角を広げるように設定すると換言することもできる。
【００３６】
視野角設定部１５３において設定された視野角の設定は表示制御部１４０に通知され、表示制御部１４０では、その設定に基づいて画像を表示させる。
【００３７】
（操作入力部１６０）
操作入力部１６０は、液晶表示装置１００に対する指示をユーザーから受け付けるインターフェースである。
【００３８】
操作入力部１６０は、キーボートのようなキー入力によるインターフェースであってもよし、マウスのように液晶表示部１７０上に表示されるポインタを動作するインターフェースであってもよい。また、液晶表示部１７０をタッチすることにより入力が可能なタッチパネルであってもよい。
【００３９】
（液晶表示部１７０）
液晶表示部１７０は、ハーフトーングレースケール法を用いて視野角を広げることができる液晶パネルである。
【００４０】
（付記事項）
なお、上述したコンテンツ取得部１１０、撮像部１２０および記録部１３０は必ずしも液晶表示装置１００に設けられている必要はない。例えば、液晶表装置１００がテレビジョン受像機として適用されている場合には、撮像部１２０および記録部１３０は設けられていなくてもよい。また、液晶表示装置１００がデジタルスチルカメラとして適用されている場合には、コンテンツ取得部１１０は設けられていなくてもよい。
【００４１】
また、液晶表示装置１００が携帯電話端末として実現される場合には、撮像部１２０および記録部１３０を備える構成としてもよいし、撮像部１２０および記録部１３０を備えない構成としてもよい。
【００４２】
また、本実施形態において「自然画像」とは対象が実世界に存在する画像を指す。特には、コンテンツ取得部１１０において取得された動画コンテンツを構成する画像、または、撮像部１２０において撮像され、記録部１３０に記録されている撮像画像である。一方、「人工画像」とは、対象が実世界に存在しない画像を指す。人工画像としては、液晶表示装置１００内部において作成される画像（例えば、メニュー表示画面）および単に文字情報が示されている画像を挙げることができる。
【００４３】
（デジタルスチルカメラの場合の動作）
次に、液晶表示装置１００がデジタルスチルカメラとして適用されている場合を例に挙げて、液晶表示装置１００の動作を説明する。
【００４４】
ユーザーが、操作入力部１６０を介したユーザー操作により、記録部１３０に記録されている撮像画像およびメニュー表示画面を同時に表示する表示モードを選択する。
【００４５】
領域分割部１５１は、図２に示すように、液晶表示部１７０を撮像画像表示領域１７０ａとメニュー画面表示領域１７０ｂの２つの領域に分割する。なお、撮像画像表示領域１７０ａおよびメニュー画面表示領域１７０ｂの位置および大きさは予め定められている。しかし、ユーザーがさらなる操作入力により、撮像画像表示領域１７０ａおよびメニュー画面表示領域１７０ｂの位置および大きさを変更できるようにしてもよい。
【００４６】
図２は、液晶表示装置１００がデジタルスチルカメラとして適用されている場合における表示形式の一例を示す図である。なお、図２では、メニュー表示画面として露出設定を表示しているが、もちろんこれに限定されるものではない。メニュー表示領域１７０ｂに表示するメニュー表示画面は、メニュー項目を一覧表示するような画面であってもよい。また、直近にユーザーが指定したメニュー項目を記録しておき、それを表示するようにしてもよい。
【００４７】
表示制御部１４０は、記録部１３０からユーザーにより指定された撮像画像を読み出して撮像画像表示領域１７０ａに表示すると共に、作成したメニュー表示画面をメニュー画面表示領域１７０ｂに表示させる。これによって、液晶表示装置１００は、図２に示すような状態の表示となる。ここで、液晶表示装置１００が図２に示す状態の表示の際の視野角の設定について説明する。
【００４８】
領域判別部１５２は、領域分割部１５１において分割された領域のうち、撮像画像表示領域１７０ａが自然画像を表示する領域であり、メニュー画面表示領域１７０ｂが人工画像を表示する領域であると判別する。そして、領域判別部１５２は判別結果を視野角設定部１５３に通知する。
【００４９】
このとき、領域判別部１５２は、各領域の位置および大きさについても視野角設定部１５３に通知するようにすればよい。各領域の位置および大きさは、液晶表示部１７０において領域の位置および大きさを一意に定められるパラメータであれば特に限定されるものではない。例えば、領域の形状が矩形の場合には、各頂点の位置座標を通知すればよい。
また、いずれかの頂点の位置座標と共に、一辺の長さを通知してもよい。
【００５０】
視野角設定部１５３は、領域判別部１５２において自然画像表示領域であると判別された撮像画像表示領域１７０ａに対しては視野角を広げるように設定する。一方、人工画像表示領域であると判別されたメニュー表示領域１７０ｂに対しては視野角を広げるように設定しない。
【００５１】
すなわち、視野角設定部１５３では、領域判別部１５２から通知されたパラメータに基づいて、視野角を広げるように画素を駆動させる領域と、通常通り画素を駆動させる領域とを決定する。そして、表示制御部１４０では、視野角設定部１５３において視野角を広げる領域に対しては、視野角を広げるように画素を駆動させることにより画像を表示し、それ以外の領域に対しては通常通り画素を駆動させることにより画像を表示する。すなわち、表示制御部１４０は、撮像画像表示領域１７０ａに対しては、ハーフトーングレースケール法を用いて互いに隣接する画素の輝度値が異なるように画素を駆動させることになる。
【００５２】
これにより、撮像画像表示領域１７０ａに表示される撮像画像は視野角が広げられて表示され、メニュー表示領域１７０ｂに表示されるメニュー表示画面は視野角が広げられずに表示される。
【００５３】
以上説明したように、液晶表示装置１００では、図２に示されているメニュー表示領域１７０ｂに対しては視野角を広げる処理がなされない。そのため、メニュー表示領域１７０ｂに表示されるメニュー項目の直線および文字のエッジ部分にガタツキが生じることを防止することができる。すなわち、液晶表示装置１００では、自然画像表示領域１７０ａおよびメニュー表示領域１７０ｂを同時表示する表示モードの場合に、メニュー表示領域１７０ｂにおける表示品質が劣化することを防止することができる。
【００５４】
（携帯電話の場合の動作）
次に、液晶表示装置１００が携帯電話に適用されている場合を例に挙げて、液晶表示装置１００の動作を説明する。
【００５５】
ユーザーが、操作入力部１６０を介したユーザー操作により、コンテンツ取得部１１０において取得した動画コンテンツを表示する表示モードを選択する。
【００５６】
領域分割部１５１は、図３に示すように、液晶表示部１７０を装置情報表示領域１７０ｃ、コンテンツ表示領域１７０ｄおよび字幕表示領域１７０ｅの３つの領域に分割する。なお、情報表示領域１７０ｃ、コンテンツ表示領域１７０ｄおよび字幕表示領域１７０ｅの位置および大きさは、先と同様に、予め定められている。しかし、ユーザーがさらなる操作入力により、情報表示領域１７０ｃ、コンテンツ表示領域１７０ｄおよび字幕表示領域１７０ｅの位置および大きさを変更できるようにしてもよい。図３は、液晶表示装置１００が携帯電話として適用されている場合における表示形式の一例を示す図である。
【００５７】
表示制御部１４０は、液晶表示装置１００における装置情報を装置情報表示領域１７０ｃに表示する。装置情報とは、液晶表示装置１００において識別可能な情報である。液晶表示装置１００が携帯電話として適用されている場合、図３に示すように、アンテナレベルを示す情報、バッテリー残量を示す情報および現在時刻を示す情報などを挙げることができる。
【００５８】
表示制御部１４０は、コンテンツ取得部１１０から取得した動画コンテンツをコンテンツ表示領域１７０ｄに表示する。また、表示制御部１４０は、動画コンテンツに付随する字幕情報を字幕表示領域１７０ｅに表示する。なお、動画コンテンツに字幕情報が付随していない場合には、表示制御部１４０は字幕表示領域１７０ｅに何も表示しない。
【００５９】
これによって、液晶表示部１７０は、図３に示すような状態の表示となる。ここで、液晶表示装置１００が図３に示す状態の表示の際の視野角の設定について説明する。
【００６０】
領域判別部１５２は、領域分割部１５１において分割された領域のうち、コンテンツ表示領域１７０ｄが自然画像を表示する領域であり、装置情報表示領域１７０ｃおよび字幕表示領域１７０ｅが人工画像を表示する領域であると判別する。そして、領域判別部１５２は判別結果を視野角設定部１５３に通知する。
【００６１】
このとき、領域判別部１５２は、各領域の位置および大きさについても視野角設定部１５３に通知するようにする。各領域の位置および大きさは、先と同様に、液晶表示部１７０において領域の位置および大きさを一意に定められるパラメータであれば特に限定されるものではない。
【００６２】
視野角設定部１５３は、領域判別部１５２において自然画像表示領域であると判別されたコンテンツ表示領域１７０ｄに対しては視野角を広げるように設定する。一方、人工画像表示領域であると判別された装置情報表示領域１７０ｃおよび字幕表示領域１７０ｅにに対しては視野角を広げるように設定しない。
【００６３】
表示制御部１４０は、コンテンツ表示領域１７０ｄに対しては、ハーフトーングレースケール法を用いて互いに隣接する画素の輝度値が異なるように画素を駆動させることになる。
【００６４】
これにより、コンテンツ表示領域１７０ｄに表示される動画コンテンツは視野角が広げられて表示され、装置情報表示領域１７０ｃおよび字幕表示領域１７０ｅに表示される装置情報および字幕情報は視野角が広げられずに表示される。
【００６５】
以上説明したように、液晶表示装置１００では、図３に示されている装置情報表示領域１７０ｃおよび字幕表示領域１７０ｅに対しては視野角を広げる処理がなされない。そのため、装置情報表示領域１７０ｃおよび字幕表示領域１７０ｅに表示される幾何学模様および文字のエッジ部分にガタツキが生じることを防止することができる。すなわち、液晶表示装置１００では、自然画像から構成される動画コンテンツおよび人工画像である装置情報および文字情報を同時表示する表示モードの場合に、装置情報表示領域１７０ｃおよび字幕表示領域１７０ｅにおける表示品質が劣化することを防止することができる。
【００６６】
なお、液晶表示装置１００が携帯電話端末として実現される場合であって、撮像部１２０および記録部１３０を備える構成である場合には、表示制御部１４０は、記録部１３０からユーザーにより指定された撮像画像を読み出してコンテンツ表示領域１７０ｄに表示すると共に、作成したメニュー表示画面を字幕表示領域１７０ｅに表示する構成としてもよい。
【００６７】
（テレビジョン受像機の場合の動作）
次に、液晶表示装置１００がテレビジョン受像機に適用されている場合を例に挙げて、液晶表示装置１００の動作を説明する。
【００６８】
ユーザーが、操作入力部１６０を介したユーザー操作により、コンテンツ取得部１１０において取得した動画コンテンツ（放送番組）、番組情報および関連情報を同時表示する表示モードを選択する。
【００６９】
領域分割部１５１は、図４に示すように、液晶表示部１７０を番組表示領域１７０ｆ、番組情報表示領域１７０ｇおよび関連情報表示領域１７０ｈの３つの領域に分割する。なお、番組表示領域１７０ｆ、番組情報表示領域１７０ｇおよび関連情報表示領域１７０ｈの位置および大きさは、先と同様に、予め定められている。しかし、ユーザーがさらなる操作入力により、番組表示領域１７０ｆ、番組情報表示領域１７０ｇおよび関連情報表示領域１７０ｈの位置および大きさを変更できるようにしてもよい。図４は、液晶表示装置１００がテレビジョン受像機として適用されている場合における表示形式の一例を示す図である。
【００７０】
表示制御部１４０は、コンテンツ取得部１１０において取得した放送番組を番組表示領域１７０ｆに表示する。また、表示制御部１４０は、放送番組に付随して取得される番組情報を番組情報表示領域１７０ｇに表示し、取得した放送番組に関連する関連情報を関連情報表示領域１７０ｈに表示する。なお、関連情報とは、例えば、放送番組のｗｅｂサイトへのハイパーリンクを示す情報、放送番組において取り挙げられている用語の解説情報などを挙げることができる。これらの関連情報は、例えばインターネットなどのネットワークを介して取得する。
【００７１】
放送番組に番組情報が付随していない場合、および、関連情報がネットワーク上に存在しない場合には、表示制御部１４０は番組情報表示領域１７０ｇおよび関連情報表示領域１７０ｈに何も表示しない。
【００７２】
これによって、液晶表示部１７０は、図４に示すような状態の表示となる。ここで、液晶表示装置１００が図４に示す状態の表示の際の視野角の設定について説明する。
【００７３】
領域判別部１５２は、領域分割部１５１において分割された領域のうち、番組表示領域１７０ｆが自然画像を表示する領域であり、番組情報表示領域１７０ｇおよび関連情報表示領域１７０ｈが人工画像を表示する領域であると判別する。そして、領域判別部１５２は判別結果を視野角設定部１５３に通知する。
【００７４】
このとき、領域判別部１５２は、各領域の位置および大きさについても視野角設定部１５３に通知するようにする。各領域の位置および大きさは、先と同様に、液晶表示部１７０において領域の位置および大きさを一意に定められるパラメータであれば特に限定されるものではない。
【００７５】
視野角設定部１５３は、領域判別部１５２において自然画像表示領域であると判別された番組表示領域１７０ｆに対しては視野角を広げるように設定する。一方、人工画像表示領域であると判別された番組情報表示領域１７０ｇおよび関連情報表示領域１７０ｈに対しては視野角を広げるように設定しない。
【００７６】
したがって、表示制御部１４０は、番組表示領域１７０ｆに含まれる画素に対しては、ハーフトーングレースケール法を用いて互いに隣接する画素の輝度値が異なるように画素を駆動させることになる。
【００７７】
これにより、番組表示領域１７０ｆに表示される番組は視野角が広げられて表示され、番組情報表示領域１７０ｇおよび関連情報表示領域１７０ｈに表示される番組情報および関連情報は視野角が広げられずに表示される。
【００７８】
以上説明したように、液晶表示装置１００では、図３に示されている番組情報表示領域１７０ｇおよび関連情報表示領域１７０ｈに対しては視野角を広げる処理がなされない。そのため、番組情報表示領域１７０ｇおよび関連情報表示領域１７０ｈに表示される幾何学模様および文字のエッジ部分にガタツキが生じることを防止することができる。すなわち、液晶表示装置１００では、自然画像から構成される放送番組および人工画像である番組情報および関連情報を同時表示する表示モードの場合に、番組情報表示領域１７０ｇおよび関連情報表示領域１７０ｈにおいて表示される画像の表示品質が劣化することを防止することができる。
【００７９】
（変形例）
次に、液晶表示装置１００がテレビジョン受像機に適用されている場合の変形例について、図５を参照しつつ以下に説明する。
【００８０】
上述した各態様では、自然画像を表示する領域に対しては、視野角を広げる処理を行い、人工画像を表示する領域に対しては視野角を広げる処理を行わない場合を説明している。本項では、自然画像を表示する領域が複数存在する場合に、一部に対しては視野角を広げる処理を行わない場合について説明する。
【００８１】
領域分割部１５１は、図５に示すように、液晶表示部１７０を表番組表示領域１７０ｉ、裏番組情報表示領域１７０ｊ、番組情報表示領域１７０ｇおよび関連情報表示領域１７０ｈの３つの領域に分割する。なお、各表示領域の位置および大きさについては先と同様に、予め定められている。しかし、ユーザーがさらなる操作入力により、各表示領域の位置および大きさを変更できるようにしてもよい。図５は、液晶表示装置１００がテレビジョン受像機として適用されている場合における表示形式の変形例を示す図である。
【００８２】
表示制御部１４０は、コンテンツ取得部１１０において取得した放送番組のうち、ユーザーが表番組（主として視聴する番組）として選択した番組を表番組表示領域１７０ｉに表示する。また、また、表示制御部１４０は、コンテンツ取得部１１０において取得した放送番組のうち、ユーザーが裏番組（副次的に視聴する番組）として選択した番組を裏番組表示領域１７０ｊに表示する。番組情報表示領域１７０ｇおよび関連情報表示領域１７０ｈに表示される情報については先と同様である。
【００８３】
これによって、液晶表示部１７０は、図５に示すような状態の表示となる。ここで、液晶表示装置１００が図５に示す状態の表示の際の視野角の設定について説明する。
【００８４】
領域判別部１５２は、領域分割部１５１において分割された領域のうち、表番組表示領域１７０ｉおよび裏番組表示領域１７０ｊが自然画像を表示する領域であり、番組情報表示領域１７０ｇおよび関連情報表示領域１７０ｈが人工画像を表示する領域であると判別する。さらに、領域判別部１５２は、表番組表示領域１７０ｉが主として視聴される画像を表示する領域であり、裏番組表示領域１７０ｊが副次的に視聴される画像を表示する領域であると判別する。そして、領域判別部１５２は判別結果を視野角設定部１５３に通知する。
【００８５】
このとき、領域判別部１５２は、各領域の位置および大きさについても視野角設定部１５３に通知するようにする。各領域の位置および大きさは、先と同様に、液晶表示部１７０において領域の位置および大きさを一意に定められるパラメータであれば特に限定されるものではない。
【００８６】
視野角設定部１５３は、領域判別部１５２において自然画像表示領域であると判別され、かつ、主として視聴される画像が表示される領域であると判別された表番組表示領域１７０ｉに対しては視野角を広げるように設定する。一方、自然画像表示領域であると判別されたものの、副次的に視聴される画像が表示される領域であると判別された裏番組表示領域１７０ｊに対しては視野角を広げるように設定しない。また、先と同様に、人工画像表示領域であると判別された番組情報表示領域１７０ｇおよび関連情報表示領域１７０ｈに対しては視野角を広げるように設定しない。
【００８７】
したがって、表示制御部１４０は、表番組表示領域１７０ｉに含まれる画素に対しては、ハーフトーングレースケール法を用いて互いに隣接する画素の輝度値が異なるように画素を駆動させることになる。
【００８８】
これにより、表番組表示領域１７０ｉに表示される番組は視野角が広げられて表示され、裏番組表示領域１７０ｊ、番組情報表示領域１７０ｇおよび関連情報表示領域１７０ｈに表示される番組情報および関連情報は視野角が広げられずに表示される。
【００８９】
これによって、自然画像が表示される領域であっても、ユーザーが主として視聴する画像が表示されている領域以外には視野角を広げずに表示することができる。
【００９０】
なお、上記の説明では表番組と裏番組とを表示する場合を例に挙げて説明しているが、もちろんこれに限定されるものではない。例えば、スポーツ番組において、リアルタイムに映像が表示される領域と、スロー再生で表示される領域であってもよい。この場合、スロー再生で表示される領域が表番組表示領域１７０ｉとなり、リアルタイムに映像が表示される領域が裏番組表示領域１７０ｊとなる。
【００９１】
また、表番組表示領域１７０ｉと裏番組表示領域１７０ｊとはユーザー操作により適宜入れ替わってもよいし、表示される映像に応じて適宜入れ替わってもよい。
【００９２】
例えば、ニュース番組において、ＴＶ局のスタジオを表示する画像と、現場を表示する画像とが同時に表示される場合、話している側の画像を主として視聴する画像とし、話していない側の画像を副次的に視聴する画像とするようにしてもよい。また、囲碁または将棋などの番組において対戦する両者の映像を同時に表示する場合、手番側の方の画像を主として視聴する画像とし、手番側でない方の画像を副次的に視聴する画像としてもよい。
【００９３】
この場合、画像が表示される位置を切り替えてもよい。図５における左上の領域に必ず主として視聴される画像が表示されるようにしてもよい。また、各画像の表示される位置はそのままで、左上の画像が副次的に視聴される画像となり、右下の画像が主として視聴される画像に切り替えられるようにしてもよい。
【００９４】
（プログラムおよび記録媒体）
液晶表示装置１００に含まれている表示制御部１４０および視野角制御部１５０は、ハードウェアロジックによって構成すればよい。または、次のように、ＣＰＵ（Central Processing Unit）を用いてソフトウェアによって実現してもよい。
【００９５】
すなわち、表示制御部１４０および視野角制御部１５０は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【００９６】
そして、本発明の目的は、表示制御部１４０および視野角制御部１５０のプログラムメモリに固定的に担持されている場合に限らず、上記プログラムのプログラムコード（実行形式プログラム、中間コードプログラム、または、ソースプログラム）を記録した記録媒体を液晶表示装置１００に供給し、液晶表示装置１００が上記記録媒体に記録されている上記プログラムコードを読み出して実行することによっても、達成可能である。
【００９７】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００９８】
また、表示制御部１４０および視野角制御部１５０（または液晶表示装置１００）を通信ネットワークと接続可能に構成しても、本発明の目的を達成できる。この場合、上記のプログラムコードを、通信ネットワークを介して表示制御部１４０および視野角制御部１５０に供給する。この通信ネットワークは表示制御部１４０および視野角制御部１５０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体
通信網、衛星通信網等であればよい。
【００９９】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化されたコンピュータデータ信号または搬送波に埋め込まれたコンピュータデータ信号の形態でも実現され得る。
【０１００】
（付記事項）
本発明に係る液晶表示装置では、さらに、被写体を撮像する撮像手段と、当該撮像手段において撮像した被写体を表す撮像画像を格納する記録部と、をさらに備えており、上記表示手段は、上記記録部から読み出される撮像画像を上記第１の領域に表示することが好ましい。
【０１０１】
上記の構成によれば、撮像画像を多人数で観賞することができるように視野角を広げる。これによって、液晶表示装置を撮像機器に好適に適用することができる効果を奏する。
【０１０２】
本発明に係る液晶表示装置では、さらに、外部から動画コンテンツを取得するコンテンツ取得手段をさらに備えており、上記表示手段は、上記コンテンツ取得手段において取得した動画コンテンツを構成する画像を所定の順序で上記第１の領域に表示することが好ましい。
【０１０３】
上記の構成によれば、動画コンテンツを構成する画像を多人数で観賞することができるように視野角を広げる。これによって、液晶表示装置をコンテンツ再生装置に好適に適用することができる効果を奏する。
【０１０４】
本発明に係る液晶表示装置では、さらに、上記第１の領域は、主となる画像を表示する主画像表示領域および副次的な画像を表示する副画像表示領域を含み、上記表示手段は、上記第１の領域のうち、主画像表示領域に含まれる画素に対しては視野角を広げるように駆動させて上記主となる画像を表示させると共に、上記副画像表示領域に含まれる画素に対しては視野角を広げないように駆動させて上記副次的な画像を表示させることが好ましい。
【０１０５】
上記の構成によれば、自然画像を表示する第１の領域のうち、主となる画像を表示する領域に対してのみ視野角を広げるように設定する。
【０１０６】
これによって、自然画像を表示する第１の領域であっても、副次的な画像を表示する副画像表示領域に対しては、視野角を広げないように駆動させて上記副次的な画像を表示させるようにすることができる。
【０１０７】
これによって、例えば、ユーザーが主として視聴する画像に対してのみ、視野角を広げた画像を表示することができる効果を奏する。
【０１０８】
本発明に係る画像表示方法は、上記課題を解決するために、隣接する画素の一方のガンマ値を予め定められた基準値よりも高い値に設定し、他方のガンマ値を当該基準値よりも低い値に設定することにより液晶パネルの視野角を広げることが可能な液晶表示装置における画像表示方法であって、上記液晶パネルにおける表示領域を、自然画像を表示する第１の領域および人工画像を表示する第２の領域に分割する領域分割ステップと、上記第１の領域に含まれる画素に対しては視野角を広げるように駆動させて上記自然画像を表示させると共に、上記第２の領域に含まれる画素に対しては視野角を広げないように駆動させて上記人工画像を表示させる表示ステップと、を含むことを特徴としている。
【０１０９】
上記の構成によれば、本発明に係る液晶表示装置と同様の作用効果を奏する。
【０１１０】
また、本発明に係る液晶表示装置を動作させるためのプログラムであって、コンピュータを上記の各手段として機能させることを特徴とするプログラムおよびそれらのプログラムを記録したコンピュータ読み取り可能な記録媒体も本発明の範疇に含まれる。
【０１１１】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１２】
本発明に係る液晶表示装置は、デジタルスチルカメラ、携帯型情報端末（例えば携帯電話）およびテレビジョン受像機などの液晶表示部を備えた装置全般に幅広く利用することができる。
【符号の説明】
【０１１３】
１００      液晶表示装置
１１０      コンテンツ取得部
１２０      撮像部
１３０      記録部
１４０      表示制御部（表示手段）
１５０      視野角制御部
１５１      領域分割部
１５２      領域判別部
１５３      視野角設定部
１６０      操作入力部
１７０      液晶表示部（液晶パネル）
１７０ａ    撮像画像表示領域（第１の領域）
１７０ｂ    メニュー表示領域（第２の領域）
１７０ｃ    情報表示領域（第２の領域）
１７０ｄ    コンテンツ表示領域（第１の領域）
１７０ｅ    字幕表示領域（第２の領域）
１７０ｆ    番組表示領域（第１の領域）
１７０ｇ    番組情報表示領域（第２の領域）
１７０ｈ    関連情報表示領域（第２の領域）
１７０ｉ    表番組表示領域（主画像表示領域）
１７０ｊ    裏番組表示領域（副画像表示領域）
【図１】
2011043104.tif 000003
【図２】
2011043104.tif 000004
【図３】
2011043104.tif 000005
【図４】
2011043104.tif 000006
【図５】
2011043104.tif 000007
【国際調査報告】
2011043104.tif 000008
2011043104.tif 000009